(57)【要約】【課題】本発明は、送風機から発生する振動や流動騒音がボディカバーで共振されて大きい騒音が発生するのを防止できる掃除機用送風機のマウンティング構造を提供する。【解決手段】上側面が開口されたボディベース５０および前記ボディベース５０の上側面を覆うボディカバー６０からなるボディと、前記ボディベース５０の底面から突設された支持リブ７２、７４と、前記支持リブ７２、７４上に安着されて前記ボディ内に真空圧を発生させる送風機８０と、前記送風機８０の上部を覆った状態で前記ボディベース５０に結合されて前記送風機８０を前記支持リブ７２、７４の間に固定させるマウンティングカバー９０と、を含めて構成される。【選択図】      図４
2004154531.tif 000002
【特許請求の範囲】
【請求項１】
上側面が開口されたボディベースおよび前記ボディベースの上側面を覆うボディカバーからなるボディと；前記ボディベースの底面から突設された支持リブと；前記支持リブ上に安着されて前記ボディ内に真空圧を発生させる送風機と；前記送風機の上部を覆った状態で前記ボディベースに結合されて前記送風機を前記支持リブの間に固定させるマウンティングカバーと；を含めて構成されることを特徴とする掃除機用送風機のマウンティング構造。
【請求項２】
前記支持リブは前記送風機の前方を支える第１支えリブと、前記送風機の後方を支える第２支えリブとから構成されることを特徴とする請求項１記載の掃除機用送風機のマウンティング構造。
【請求項３】
前記第１支えリブと第２支えリブは、前記送風機が前記ボディベースの底面と水平に置かれるようにそれぞれ所定の高さを有することを特徴とする請求項２記載の掃除機用送風機のマウンティング構造。
【請求項４】
前記送風機は、前／後方がそれぞれマウンティングパッキングとシーリングパッキングで包まれ、中央外周が駆動時に発生する流動騒音を遮蔽するサウンドカバーで包まれ；前記マウンティングカバーは前記マウンティングパッキングおよびシーリングパッキング、サウンドカバーの上部を包むことを特徴とする請求項１記載の掃除機用送風機のマウンティング構造。
【請求項５】
前記マウンティングカバーは、前記送風機の上部を包むように所定の曲率に屈曲されるように形成されたカバー部と、前記カバー部の内側面から前記送風機に向かって突設されて前記送風機を前記支持リブとの間に圧着させる圧着リブと、前記カバー部と一体形成されて前記ボディベースと結合されるフランジと、から構成されることを特徴とする請求項４記載の掃除機用送風機のマウンティング構造。
【請求項６】
前記圧着リブは、前記マウンティングパッキングに向かって上下方向に垂直に突設されることを特徴とする請求項５記載の掃除機用送風機のマウンティング構造。
【請求項７】
前記フランジには前記ボディベースの底面から突出されたボスに形成されたネジ溝と上下方向に合致されるネジ穴が形成され、前記フランジのネジ穴とボディベースのネジ溝にネジ締結されるボルトによって前記ボディベースと結合されることを特徴とする請求項５記載の掃除機用送風機のマウンティング構造。
【請求項８】
前記フランジには前記ボディベースのネジ溝および前記ボディベースのネジ溝と上下方向に対応するボディカバーのネジ穴と上下方向に一列に整列されるネジ穴が少なくとも一つ形成され、前記ボディベースとボディカバーに同時にボルト結合されることを特徴とする請求項７記載の掃除機用送風機のマウンティング構造。
【請求項９】
前記マウンティングカバーには外周に沿って複数個の係止突起が突設され、前記ボディベースには前記マウンティングカバーの係止突起が上下方向に係合されるように前記係止突起とそれぞれ対応するフックが突設され、前記マウンティングカバーが前記ボディベースにフック結合されることを特徴とする請求項１記載の掃除機用送風機のマウンティング構造。
【請求項１０】
前記フックは少なくとも一つ以上が前記支持リブの上側面から一体に突設されることを特徴とする請求項９記載の掃除機用送風機のマウンティング構造。
【請求項１１】
前記フックは所定の弾性力を有するようにプラスチック材質から成形されることを特徴とする請求項９記載の掃除機用送風機のマウンティング構造。
【請求項１２】
前記マウンティングカバーはプラスチック材質から成形されることを特徴とする請求項１記載の掃除機用送風機のマウンティング構造。
【発明の詳細な説明】
【０００１】
【発明の属する技術分野】
本発明は、掃除機用送風機のマウンティング構造に関し、特に、送風機がボディカバーと構造的に連結されないように前記送風機をマウンティングカバーを使ってボディベースに固定させる掃除機用送風機のマウンティング構造に関する。
【０００２】
【従来の技術】
一般に、掃除機は、送風機を利用してボディ内部に真空圧を発生させ、この真空圧によって外部空気とともに埃などのゴミを吸入して取除く掃除道具であって、近来は、前記真空圧を発生させる送風機の送風性能を向上させるとともに低騒音化を実現できる製品を開発することに重点が置かれている。
図８は、従来技術による掃除機用送風機のマウンティング構造を示す側断面図であり、図９は従来技術による掃除機用送風機のマウンティング構造を示す平面図である。
【０００３】
従来技術による掃除機は、大きく、内部に真空圧の発生されるボディ１０、２０と、前記ボディ１０、２０の吸入口１１と連結されて前記真空圧によって床に積もっているゴミを空気とともに吸入する吸入機構（図示せず）とから構成され、前記ボディ１０、２０には、ゴミを集め空気は後方に通過させる集塵袋（図示せず）と、空気とともにゴミが前記吸入機構を通して前記ボディ１０、２０内部に吸入されるように真空圧を発生させる送風機３０が設置される。
【０００４】
ここで、ボディは、上側面が開口されたボディベース１０と、前記ボディベース１０の上側面を覆うように設置されるボディカバー２０とからなるが、前記ボディベース１０の内部には前記集塵袋が配置される集塵室１２および前記送風機３０が配設される送風室１３、そして前記送風機３０に電源を供給する電線を巻いて内蔵するコードリール（図示せず）が配設されるコードルーム１４に区切られ、前記ボディカバー２０には前記ボディベース１０の集塵室１２と上下方向に対応する部位に前記集塵袋の取換が可能なように集塵ホール２１が形成され、前記ボディカバー２０の集塵ホール２１に集塵室蓋２２が開閉可能に設置される。
【０００５】
そして、前記集塵室１２と送風室１３との間には前記送風機３０に流動される空気を浄化させるフィルタ１８が配設される。
前記送風機３０は、大きく、前記フィルタ１８の後方に設置されて前記ボディ１０、２０内部に真空圧を発生させるインペラ３２と、前記インペラ３２と回転軸３３で連結されて前記インペラ３２を回転させるモータ３４とからなり、前記モータ３４は電源が印加されると普通３００００ｒｐｍ以上の速度に高速運転される。
そして、前記送風機３０の前／後方外周はそれぞれ前記送風機３０を衝撃から保護するマウンティングパッキング３６とシーリングパッキング３７で包まれ、前記送風機３０の中央外周は前記モータ３４の駆動時に発生される流動騒音を遮蔽するサウンドカバー３８で包まれる。
【０００６】
一方、従来技術による送風機のマウンティング構造は、図８および図９に示すように、前記ボディベース１０の底面で前記マウンティングパッキング３６に包まれた送風機３０の前方と前記シーリングパッキング３７に包まれた送風機３０の後方をそれぞれ支えるように第１、第２支えリブ１５、１６が突設され、前記ボディカバー２０の内側面で前記マウンティングパッキング３６に包まれた送風機３０の前方と前記シーリングパッキング３７に包まれた送風機３０の後方がそれぞれ上下方向に圧着されるように第１、第２圧着リブ２５、２６が突設されて、前記送風機３０が前記ボディベース１０とボディカバー２０との間で上下方向に圧迫されて固定されるようにする。
【０００７】
前記のような掃除機用送風機のマウンティング作業は、前記第１および第２支えリブ１５、１６に前記送風機３０を上下方向に安着した後、前記ボディベース１０に前記ボディカバー２０を取り付けると、前記マウンティングパッキング３６に包まれた送風機３０の前方が前記第１支えリブ１５と第１圧着リブ２５との間で上下方向に圧迫され、前記シーリングパッキング３７に包まれた送風機３０の後方が前記第２支えリブ１６と第２圧着リブ２６との間で上下方向に圧迫されることによって、前記送風機３０が前記ボディ１０、２０に揺れることなく固定され、作業が完了する。
【０００８】
しかし、従来技術による掃除機用送風機のマウンティング構造は、前記ボディカバー２０が前記第１、第２圧着リブ２５、２６を通じて前記送風機３０と構造的に連結されているため、前記送風機３０の駆動時に発生する振動や流動騒音が前記ボディカバー２０で共振されて大きい振動騒音を発生させ、使用者の不満を招く問題点がある。
【０００９】
特に、図１０は、掃除機の作動時に前記ボディ１０、２０の上部中央で加速度計を利用して測定した前記ボディ１０、２０の振動周波数を表すグラフであって、前記モータ３４が６０Ｈｚの商用電源を受けて３００００ｒｐｍ以上に高速回転されるが、前記モータ３４の振動周波数（ＳＲＦ）近傍で強いピーク（ａ）が表れ、前記商用電源の高調波成分が伝達されて前記外部電源の高調波と対応される周波数、すなわち１２０、２４０、３６０Ｈｚ近傍などで強いピーク（ｂ）が表れ、また４５００Ｈｚ近傍で強いピーク（ｃ）が表れることが分かるし、このように特定周波数帯域で現れる強いピーク（ａ、ｂ、ｃ）によって人の耳が刺激され、ストレスが与えられてしまう。
【００１０】
ここで、前記振動周波数（ＳＲＦ）は下記の式によって求められ、前記インペラ３２が９枚の翼を有するように形成されるところ、前記振動周波数（ＳＲＦ）に前記インペラ３２の翼数をかけた４５００Ｈｚ近傍で強いピーク（ｃ）が表れる。
ＳＲＦ＝（ｒｐｍ／外部電源周波数）Ｈｚ
【００１１】
【発明が解決しようとする課題】
本発明は、前記の従来技術の問題点に鑑みてなされたものであり、送風機から発生する振動や流動騒音がボディカバーで共振されて大きい騒音が発生することを防止できる、掃除機用送風機のマウンティング構造を提供することにその目的がある。
【００１２】
【課題を解決するための手段】
前記目的を解決するために、本発明による掃除機用送風機のマウンティング構造は、上側面が開口されたボディベースおよび前記ボディベースの上側面を覆うボディカバーからなるボディと、前記ボディベースの底面から突設された支持リブと、前記支持リブ上に安着されて前記ボディ内に真空圧を発生させる送風機と、前記送風機の上部を覆った状態で前記ボディベースに結合されて前記送風機を前記支持リブの間に固定させるマウンティングカバーと、を含めて構成される。
【００１３】
【発明の実施の形態】
以下、本発明の実施形態を添付した図１〜４を参照して詳細に説明する。
前記本発明による掃除機用送風機のマウンティング構造は、上側面が開口されたボディベース５０と該ボディベース５０の開口された上側面を覆うボディカバー６０とによって外観を形成するボディと、前記ボディベース５０の底面から上方に垂直に突設された支持リブ７２、７４と、前記支持リブ７２、７４上に安着されて前記ボディ内部に真空圧を発生させる送風機８０と、前記送風機８０の上部を覆った状態で前記ボディベース５０に結合されて前記送風機８０を前記支持リブ７２、７４間に固定させるマウンティングカバー９０と、からなる。
【００１４】
前記ボディベース５０は、ゴミを集める集塵袋（図示せず）が配設される集塵室５１と前記送風機８０が配設される送風室５２、そして前記送風室５２と集塵室５１を区画する区切り板５３が形成され、前記集塵室５１側の区切り板５３の一面にはフィルタ５４が設けられて前記送風機８０に流動される空気を浄化させ、前記送風室５２側の前記区切り板５３の他面には前記支持リブ７２、７４上に安着された前記送風機８０の前面と当接するように後方に向かって垂直にステーリブ５５が突設されることで、前記送風機８０の前方への移動を制限する。
【００１５】
前記支持リブ７２、７４において、第１支えリブ７２は、前記送風機８０の前方を支えるように前記ボディベース５０の送風室５２の底面一側から上方に垂直に突設され、  第２支えリブ７４は、前記送風機８０の後方を支えるように前記ボディベース５０の送風室５２底面他側から上方に垂直に突設される。
ここで、前記送風機８０は前方と後方の外径が相異なるため、前記第１支えリブ７２と第２支えリブ７４は、前記送風機８０が前記支持リブ７２、７４上に安着されるとき前記送風機８０の中心軸が前記ボディベース５０の底面と水平になるようにそれぞれ所定の高さ（ｈ１、ｈ２）に形成される。
そして、前記第２支えリブ７４の上側には、前記送風機８０が前記ステーリブ５５との間で前後方向に揺れるのを防止するとともに前記送風機８０が左右方向に揺れないように前記送風機８０の後方を包むストッパーリブ５６が形成される。
【００１６】
前記送風機８０は、大きく、送風力を発生させるインペラ８２と、前記インペラ８２と回転軸８３で連結されたモータ８４とから構成され、前／後方の外周はそれぞれ前記送風機８０を衝撃から保護するゴム材質のマウンティングパッキング７６とシーリングパッキング７７で包まれ、中央部位の外周は前記送風機８０の駆動時に発生される空気の流動騒音を遮蔽するために吸音材質から成形されたサウンドカバー７８で包まれるが、前記送風機８０は前記マウンティングパッキング７６とシーリングパッキング７７、サウンドカバー７８によって包まれた状態で前記支持リブ７２、７４上に安着されるだけでなく、前記マウンティングカバー９０によって上部が包まれる。
【００１７】
ここで、前記送風機８０の外観を形成する送風機ハウジング８６は、前記送風機ハウジング８６と回転軸８３の後方との間に前記回転軸８３を回転可能に支持する軸受け８７が設置されるように背面中央部位８６Ａが後方に向かって柱状に突出するように形成され、前記送風機ハウジング８６の背面中央部位８６Ａの外周は前記シーリングパッキング７７で包まれるが、該シーリングパッキング７７はその外形が矩状に形成されて前記送風機８０が回転されるのを防止する。
【００１８】
前記マウンティングカバー９０は、前記送風機８０の上部外周を包むように前記送風機８０の外周に沿って所定の曲率に屈曲されるように形成されたカバー部９２と、前記カバー部９２の内側面から前記送風機８０に向かって垂直に突設されて前記送風機８０を前記支持リブ７２、７４との間で上下方向に圧着させる圧着リブ９４と、前記カバー部９２と一体に形成されて前記ボディベース５０と結合されるフランジ９５、９７とからなる。
【００１９】
ここで、前記カバー部９２は、組立のさい前記マウンティングパッキング７６およびサウンドカバー７８と半径方向に離隔されるように一端面が所定の直径を有するアーク状に形成され、前記送風機８０の前面と前記ステーリブ５５が当接できるように前面が開口されるように形成され、前記送風機８０の後方上部を覆うように背面９１が形成されている。
前記圧着リブ９４は、組立のさい前記マウンティングパッキング７６の外周に圧着されるように前記マウンティングパッキング７６と上下方向に対向する前記カバー部９２の内側面から垂直に突設され、前記カバー部９２の内外周に沿ってアーク状に長く形成される。
【００２０】
前記フランジ９５、９７は、前記カバー部９２の前方下側から延長するように形成された第１フランジ９５と、前記カバー部９２の背面９１において後方に向かって突設された第２フランジ９７であって、前記ボディベース５０とそれぞれボルトで結合される。
言い換えれば、前記ボディベース５０の送風室５２底面には前記送風機８０の前方右側と一定距離離隔された部位に上下方向に第１ネジ溝５７Ａの形成された第１ボス５７が突設され、前記第１フランジ９５は、前記第１ボス５７の上側面と接するように前記カバー部９２から水平に突設され、前記第１ネジ溝５７Ａと上下方向に対応する第１ネジ穴（図示せず）が形成されることで、前記第１ネジ穴と第１ネジ溝５７Ａに上下方向に第１ボルト９８が同時に締結されると前記ボディベース５０に固定される。
【００２１】
そして、前記ボディベース５０の送風室５２の底面には前記第２支えリブ７４の後方に上下方向に第２ネジ溝５８Ａの形成された第２ボス５８が突設され、前記第２フランジ９７は前記第２ボス５８の上側面と接するように前記カバー部９２から突設され、前記第２ネジ溝５８Ａと上下方向に対応する第２ネジ穴９７Ａが形成されて、前記第２ネジ穴９７Ａと第２ネジ溝５８Ａに上下方向に第２ボルト９９が締結されると前記ボディベース５０に固定される。
【００２２】
特に、前記ボディカバー６０には前記ボディベース５０とボルト結合されるように前記第２ネジ溝５８Ａと上下方向に対応する第３ネジ穴６１が形成されるため、前記第２フランジ９７は前記第２ボス５８と前記ボディカバー６０との間に挟まれた状態で前記第２ボルト９９が前記第３ネジ穴６１、第２ネジ穴９７Ａ、第２ネジ溝５８Ａに順次に螺合されると、前記ボディカバー６０とともに前記ボディベース５０に固定される。
以上のように構成された本発明による送風機のマウンティング作業は、下記のようになる。
【００２３】
まず、送風機８０にマウンティングパッキング７６とシーリングパッキング７７、サウンドカバー７８を被せた後、前記送風機８０をボディベース５０の上側から前記ステーリブ５５とストッパーリブ５６との間に入れると、前記送風機８０が前記第１、第２支えリブ７２、７４上に安着される。
この状態で、マウンティングカバー９０を前記送風機８０の上部に被せて前記第１フランジ９５の第１ネジ穴９５Ａを前記第１ボス５７の第１ネジ溝５７Ａと上下方向に合致させ、前記第２フランジ９７の第２ネジ穴９７Ａを第２ボス５８の第２ネジ溝５８Ａと上下方向に合致させた後、第１ボルト９８を前記第１フランジ９５の第１ネジ穴９５Ａおよび第１ボス５７の第１ボルト溝５７Ａにネジ締結して前記マウンティングカバー９０の一側をボディベース５０に固定する。
【００２４】
次いで、ボディカバー６０を前記ボディベース５０に上側から被せて前記ボディカバー６０の第３ネジ穴６１を前記第２フランジ９７の第２ネジ穴９７Ａおよび第２ボス５８の第２ネジ溝５８Ａと上下方向に一列に合致させた後、第２ボルト９９を前記ボディカバー６０の第３ネジ穴６１、前記第２フランジ９７の第２ネジ穴９７Ａ、前記第２ボス５８の第２ネジ溝５８Ａに順次にネジ締結すると、前記ボディベース５０、ボディカバー６０、およびマウンティングカバー９０が同時にボルトで結合され、マウンティング作業が完了する。
【００２５】
したがって、前記送風機８０は前記支持リブ７２、７４と前記マウンティングカバー９０の間で上下方向に圧迫されて固定され、前記ボディカバー６０は前記送風機８０と構造的に直接連結されないので、前記送風機８０から発生する振動や流動騒音によって共振されるのが避けられる。
これは、掃除機の作動時、本発明によるボディの上部中央において加速度計によって測定された振動周波数を表す図５のグラフと、図１０の従来例を比較することから確認できる。
【００２６】
つまり、送風機が６０Ｈｚの外部電源を受けて３００００ｒｐｍ以上に高速運転する際、最大振動量（Ｍ）が従来は１．４４ｍ／ｓ２で、本発明は０．７４  ｍ／ｓ２程度であり、振動周波数（ＳＲＦ）帯域でピーク値（ａ）が従来は１．４  ｍ／ｓ２で、本発明は０．７４ｍ／ｓ２であり、前記振動周波数（ＳＲＦ）にインペラの翼数をかけた周波数（ＢＰＦ）である４５００Ｈｚ帯域でピーク値（ｃ）が従来は０．６ｍ／ｓ２で、本発明は０．２  ｍ／ｓ２程度であることがわかる。
これにより、送風機８０から発生する振動がボディカバー６０に伝達されるのを遮断すると、ボディにおける振動や騒音を大幅に低減できることが分かる。
【００２７】
一方、図６は、本発明の他の実施例による掃除機用送風機のマウンティング構造を示す側断面図であり、図７は本発明の他の実施例による掃除機用送風機のマウンティング構造を示す平面図である。
本発明の他の実施例による掃除機用送風機のマウンティング構造は、マウンティングカバー１００の外側面に外周に沿ってボディベース１１０の底面と平行な複数個の係止突起１０２が設けられ、前記マウンティングカバー１００が上下方向に送風機１２０の上部を覆うとき前記係止突起１０２が上方に移動するのを防ぐために前記ボディベース１１０から上下方向に垂直に複数個のフック１１２が突設される。
【００２８】
ここで、係止突起１０２は前記マウンティングカバー１００のカバー部１０４の背面１０５と前記マウンティングカバー１００のカバー部１０４の左右側面からそれぞれ一対ずつ突設されることで合計６個が構成され、前記フック１１２は前記係止突起１０２とそれぞれ対応するように６個が構成され、前記マウンティングカバー１００が前記送風機１２０の上部を覆うとき、前記係止突起１０２が直下方に位置するように前記ボディベース１１０の底面から所定の高さを有するように形成される。
【００２９】
特に、前記フック１１２は、前記マウンティングカバー１００の着脱のさい前記送風機１２０から離隔される方向に弾力的に撓んだ後元の状態に戻るように所定の弾性力を有するプラスチック材質から形成され、前記フック１１２のうち前記マウンティングカバー１００のカバー部１０４の背面１０５から突出された係止突起１０２が係合されるフック１１２は、ストッパーリブ１１５から上方向に垂直に突出されて形成される。
【００３０】
したがって、前記送風機１２０が支持リブ１１４、１１６上に安着された状態で前記マウンティングカバー１００を前記送風機１２０側に押すと、前記フック１１２の弾性力によって前記マウンティングカバー１００の係止突起１０２が前記フック１１２の直下方に位置しながら前記マウンティングカバー１００が前記送風機１２０の上部を覆う。このとき、前記マウンティングカバー１００は前記係止突起１０２が前記フック１１２に係合された状態なので、前記送風機１２０は前記ボディベース１１０に揺れることなく固定されることができる。
そして、図６および図７は、マウンティングカバーとボディベースの結合構造以外は、図１ないし図４に示した掃除機と同様なので、その詳細は省略するものとする。
【００３１】
【発明の効果】
以上のように構成される本発明による掃除機用送風機のマウンティング構造は、送風機を支持リブ上に安着した状態で前記送風機の上部にマウンティングカバーを被せ、該マウンティングカバーをボディベースに結合させた後、前記ボディベースにボディカバーを取り付けるため、前記送風機が前記支持リブとマウンティングカバーとの間で上下方向に圧着される形で揺れないように固定されながらも、前記送風機とボディカバーが構造的に連結されないことから、掃除機の作動のさい送風機から発生する振動が前記ボディカバーに伝達されるのを遮断し、ボディが激しく揺れたり、これにより大きい騒音が発生するのを防止することができる。
また、前記マウンティングカバーが前記ボディカバーとともに前記ボディベースにボルトで結合されるか、或いは前記ボディベースにフックで結合されるため、従来と同様に、比較的マウンティング作業が簡単で、部品数が少なく、コスト低となる利点がある。
【図面の簡単な説明】
【図１】本発明による掃除機用送風機のマウンティング構造を示す側断面図である。
【図２】本発明による掃除機用送風機のマウンティング構造を示す平面図である。
【図３】本発明によるマウンティングカバーの組立前の掃除機用送風機のマウンティング構造を示す平面図である。
【図４】本発明による掃除機用送風機のマウンティング構造を示す斜視図である。
【図５】本発明による掃除機の振動周波数による加速度を示すグラフである。
【図６】本発明の他の実施形態による掃除機用送風機のマウンティング構造を示す側断面図である。
【図７】本発明の他の実施形態による掃除機用送風機のマウンティング構造を示す平面図である。
【図８】従来技術による掃除機用送風機のマウンティング構造を示す側断面図である。
【図９】従来技術による掃除機用送風機のマウンティング構造を示す平面図である。
【図１０】従来技術による掃除機の振動周波数による加速度を示すグラフである。
【符号の説明】
５０…ボディベース
５５…ステーリブ
５６…第１ボス
５８…第２ボス
６０…ボディカバー
７２…第１支えリブ
７４…第２支えリブ
７６…マウンティングパッキング
７７…シーリングパッキング
７８…サウンドカバー
８０…送風機
９０…マウンティングカバー
９２…カバー部
９４…フランジ
【図１】
2004154531.tif 000003
【図２】
2004154531.tif 000004
【図３】
2004154531.tif 000005
【図４】
2004154531.tif 000006
【図５】
2004154531.tif 000007
【図６】
2004154531.tif 000008
【図７】
2004154531.tif 000009
【図８】
2004154531.tif 000010
【図９】
2004154531.tif 000011
【図１０】
2004154531.tif 000012